(57)【要約】  【課題】家畜の排泄物による足部浴槽内の薬液や洗浄液等の汚染の抑制。  【解決手段】家畜の左足が入る第１槽部２と、右足が入る第２槽部３と、第１槽部２と第２槽部３との間に、家畜が排泄した排泄物を第１槽部２および第２槽部３の外に通過させる通過空間４、または家畜が排泄した排泄物を受容する排泄物受容器６とを備えた。  【選択図】図１
2010081850.tif 000002
【特許請求の範囲】
【請求項１】
家畜の左右一方側の足が入る第１槽部と、
他方側の足が入る第２槽部と、
これら第１槽部と第２槽部との間に、家畜が排泄した排泄物を第１槽部および第２槽部の外に通過させる通過空間と、
を備えていることを特徴とする家畜用足部浴槽。
【請求項２】
家畜の左右一方側の足が入る第１槽部と、
他方側の足が入る第２槽部と、
これら第１槽部と第２槽部との間に、家畜が排泄した排泄物を受容する排泄物受容器と、を備え、
該排泄物受容器は、家畜用足部浴槽に対して着脱自在または着脱不能であることを特徴とする家畜用足部浴槽。
【請求項３】
家畜用足部浴槽に対して着脱自在に装着する排泄物受容器であって、家畜が歩行する方向に沿う長さが、家畜用足部浴槽内の家畜が歩行する方向に沿う長さと同等であり、家畜が歩行する方向と直交する方向に沿う長さが、家畜用足部浴槽内の家畜が歩行する方向と直交する方向に沿う長さよりも短いものであることを特徴とする家畜用足部浴槽の排泄物受容器。
【請求項４】
前記通過空間および前記排泄物受容器に対する家畜の歩行を妨げる障害物を備えていることを特徴とする請求項１または２に記載の家畜用足部浴槽および請求項３に記載の家畜用足部浴槽の排泄物受容器。
【請求項５】
前記障害物は、前記通過空間および前記排泄物受容器の最上面から上方に突出していることを特徴とする請求項４に記載の家畜用足部浴槽および家畜用足部浴槽の排泄物受容器。
【発明の詳細な説明】
【技術分野】
【０００１】
本発明は、家畜用足部浴槽および家畜用足部浴槽の排泄物受容器に関する。
【背景技術】
【０００２】
家畜の足部浴槽は、たとえば、牛舎や搾乳所に出入りする家畜の蹄および下肢の洗浄や消毒等を行うために、牛舎や搾乳所への通路の中途部分に設置し、家畜が前記通路を歩行する際に足部浴槽に入って歩行することにより、家畜の蹄および下肢の洗浄や消毒等を行うようにするものである。足部浴槽には、各種薬液や洗浄液等が入っていて、この薬液や洗浄液等が家畜の蹄および下肢の洗浄や消毒等を行うようになっている。
【０００３】
しかしながら、家畜が前記足部浴槽内を歩行するときに糞尿をすることがあって、この糞尿により、足部浴槽内の薬液や洗浄液等が汚染されてしまい、この汚染された薬液や洗浄液等が連続して足部浴槽に入る家畜に対して悪影響を与えていた。本出願人は、足部浴槽の薬液や洗浄液等の汚染を抑制し、家畜に対する悪影響を防ぐという観点から鋭意研究の結果、本発明に至ったものである。
【０００４】
なお、本発明に関連する先行技術文献のうち、出願人が本件特許出願時に知っているものがないので、開示すべき先行技術文献情報はない。
【発明の開示】
【発明が解決しようとする課題】
【０００５】
本発明は、このような問題に対処することを課題とするものである。すなわち、家畜の排泄物による足部浴槽内の薬液や洗浄液等の汚染を抑制することが本発明の目的である。
【課題を解決するための手段】
【０００６】
前記目的を達成するため、本発明に係る家畜用足部浴槽および家畜用足部浴槽の排泄物受容器は、次の構成を少なくとも具備する。
【０００７】
本発明に係る家畜用足部浴槽は、家畜の左右一方側の足が入る第１槽部と、他方側の足が入る第２槽部と、これら第１槽部と第２槽部との間に、家畜が排泄した排泄物を第１槽部および第２槽部の外に通過させる通過空間と、を備えていることを特徴とする。
【０００８】
本発明に係る家畜用足部浴槽は、家畜の左右一方側の足が入る第１槽部と、他方側の足が入る第２槽部と、これら第１槽部と第２槽部との間に、家畜が排泄した排泄物を受容する排泄物受容器と、を備え、該排泄物受容器は、足部浴槽に対して着脱自在または着脱不能であることを特徴とする。
【０００９】
本発明の家畜用足部浴槽の排泄物受容器は、家畜用足部浴槽に対して着脱自在に装着する排泄物受容器であって、家畜の進行方向に沿う長さが、家畜用足部浴槽内の家畜の進行方向に沿う長さと同等であり、家畜の進行方向と直交する方向に沿う長さが、家畜用足部浴槽内の家畜の進行方向と直交する方向に沿う長さよりも短いものであることを特徴とする。
【００１０】
前記通過空間および前記排泄物受容器に対する家畜の歩行を妨げる障害物を備えていることを特徴とする。
【００１１】
前記障害物は、前記通過空間および前記排泄物受容器の最上面から上方に突出していることを特徴とする。
【発明を実施するための最良の形態】
【００１２】
以下、家畜用足部浴槽および家畜用足部浴槽の排泄物受容器を実施するための最良の形態を図面に基づいて説明する。なお、以下の各実施例の説明において、家畜の進行方向に沿う方向を前後方向とし、該前後方向と直交する方向を左右方向とする。また、鉛直方向を上下方向とする。
【００１３】
図１〜図３は、本発明に係る家畜用足部浴槽の第１実施例を示している。第１実施例の家畜用足部浴槽（以下、「足部浴槽」という）Ａは、平面視前後方向に長い長方形状の底部１０の各縁に、該底部１０を囲むように側壁１１〜１４を立設して槽状に形成した槽本体１内に、家畜の左側の足が入る第１槽部２と、右側の足が入る第２槽部３と、槽本体１の左右方向の中央部に前記第１槽部２と第２槽部３とで挟まれるように位置し、家畜が排泄した排泄物を第１槽部２および第２槽部３の外に通過させる通過空間４と、該通過空間４に対する家畜の歩行を妨げる障害物５とから構成している。
【００１４】
前記第１槽部２および第２槽部は、家畜の蹄および下肢を消毒する薬液や洗浄液を入れるスペースである。すなわち、前記したように、第１槽部２に左側の足が入り、第２層部３に右側の足が入って歩行することにより、家畜の蹄および下肢が自動的に消毒される。
【００１５】
前記第１槽部２は、前記槽本体１の左側に設定してあり、該槽本体１内に前記側壁１１と対面するとともに、前記側壁１２と側壁１３とに亘って立設した側壁１５および前記側壁１１と側壁１２と側壁１３とで、平面視前後方向に長い長方形状に形成した槽状のものである。
【００１６】
前記第２槽部３は、前記槽本体１の右側に設定してあり、該槽本体１内に前記側壁１４と対面するとともに、前記側壁１２と側壁１３とに亘って立設した側壁１６および前記側壁１４と側壁１２と側壁１３とで、平面視前後方向に長い長方形状に形成した槽状のものである。
【００１７】
前記通過空間４は、前記側壁１５と側壁１６および前記側壁１２と側壁１３とで、平面視前後方向に長い長方形状に形成するとともに、該長方形と同形の貫通孔１７を前記底部１０に開孔することにより、上下方向に貫通する空間として形成してある。この通過空間の左右方向の長さ（幅）は、通常の歩行姿勢で家畜が左右方向にまたげる長さが好ましく、具体的には、各種家畜によって変わるが、たとえば、家畜が牛であれば、およそ３０ｃｍが好ましい。
【００１８】
すなわち、家畜が前記第１槽部２および第２槽部に入ると、前記通過空間４を跨ぐ状態になるため、前記第１槽部２および第２槽部に入って歩行しながら排泄しても、排泄物は、前記通過空間４に落下してそのまま足部浴槽Ａが置かれた地面に排出される。したがって、家畜が排泄する排泄物の前記第１槽部２および第２槽部３への混入を防ぐことができる。
【００１９】
前記障害物５は、上部を側面視円弧面とした複数の棒状体５０を、前後方向に一定幅の隙間４０を確保して、前記側壁１５の上端縁と側壁１６の上端縁とに亘って架設して構成している。前記棒状体５０は、下部の平坦面５１を前記上端縁と上端縁に載置するように固定して、円弧面５２が上向となるように架設してあり、前記棒状体５０が前記通過空間４の上端から上方に突出するようにしてある。前記棒状体５０の突出高さは、該棒状体５０の上端に対して前記通過空間４を跨いだ家畜の腹部の最も低い部分が接触しない程度である。具体的には、各種家畜によって変わるが、たとえば、家畜が乳牛であれば、該乳牛の乳頭先端が接触しない程度である。
【００２０】
すなわち、前記複数の棒状体５０を架設して構成した障害物５により、家畜に対して通過空間４に足を踏み入れづらくして、該足を前記第１槽部２および第２槽部３に入るようにすることができる。また、前記棒状体５０の円弧面５２により、家畜が排泄する排泄物を通過空間４内に案内して落とし込むようにすることができる。したがって、前記障害物５上に対する排泄物の残留を防ぐことができる。
【００２１】
なお、前記障害物は、家畜に対して通過空間４に足を踏み入れづらくして、該足を前記第１槽部２および第２槽部３に入るようにするとともに、排泄物が通過する構成であれば、前記の構成に限定しない。
【００２２】
図中、符号１８，１９は、地面に排出された排泄物を取り除く作業を行うための開口部である。この開口部１８，１９から溜まった排泄物を、たとえば、掻き出したり流し出したりすることができる。
【００２３】
第１実施例の足部浴槽Ａによると、家畜の排泄物による第１槽部２内および第２槽部３内の薬液や洗浄液等の汚染を抑制することができる。さらに、前記障害物５上に対する排泄物の残留を防ぐことができるので、該障害物５から第１槽部２および第２槽部３への排泄物の混入を抑制することができる。したがって、足部浴槽Ａに入って歩行する家畜に対して健康上の悪影響を防ぐことができる。
【００２４】
なお、前記第１実施例で示した足部浴槽Ａは、排泄物を前記第１槽部２および第２槽部３（足部浴槽）の外に排出する構成としたものであるが、前記貫通孔１７を開孔しないことにより、前記通過空間４に対応する位置に、家畜の排泄物を受容する排泄物受容器を形成することができる（図示せず）。この排泄物受容器を形成することにより、第１実施例の足部浴槽Ａと同様の作用効果を有するとともに、排泄物を足部浴槽Ａ外に排出せずに溜めておくことができる。
【００２５】
図４は、本発明に係る家畜用足部浴槽の第２実施例を示している。第１実施例の家畜用足部浴槽（以下、「足部浴槽」という）Ｂは、前記第１実施例の通過空間４に対応する位置に、家畜の排泄物を受容する排泄物受容器６を着脱自在に備えた構成のものである。
【００２６】
本実施例の足部浴槽Ｂは、平面視前後方向に長い長方形状の底部７０の各縁に、該底部７０の四方を囲むように、側壁７１〜７４を立設して槽状に形成した槽本体７に対して、左右方向の中央部に排泄物受容器６を載置し、該排泄物受容器６の左右に第１槽部２と第２槽部３を確保することで構成している。前記排泄物受容器６の前後方向の長さは、槽本体７内の前後方向の長さと同等であり、前記槽本体７内に対して前後方向に適合して載置している。なお、本実施例における槽本体７は、前記第１実施例の槽本体１の外形と同様である。
【００２７】
排泄物受容器６は、平面視前後方向に長い長方形状の底部６０の各縁に、該底部６０の四方を囲むように、側壁６１〜６４を立設して槽状に形成した受容器本体６Ａと、該受容器本体６Ａに対する歩行を妨げる障害物５Ａとから構成している。本実施例の障害物５Ａは、前記第１実施例で示した障害物５と同構造であり、側面視半円形とした複数の棒状体５０を、左右の側壁６１，６４の上端縁に亘って、前後方向に一定幅の隙間４０を確保して架設して構成したものである。すなわち、本実施例の障害物５Ａは、第１実施例の障害物５と同様の作用効果を有する。
【００２８】
第２実施例の足部浴槽Ｂによると、前記第１実施例の足部浴槽と同様の作用効果を有するとともに、排泄物受容器６が取り外せるため、排泄物の処理や排泄物受容器６の清掃がきわめて容易に行えるという作用効果を有する。
【００２９】
前記排泄物受容器６は、第２実施例で示した足部浴槽Ｂのみに適用するものでなく、従来から使用している通常の足部浴槽（図示せず）に対して載置することもできる。この通常の足部浴槽は、第２実施例で示した槽本体７と同構成であるため、前記排泄物受容器６を通常の足部浴槽に載置することにより、第２実施例と同様の作用効果を有する足部浴槽を構成することができる（図示せず）。また、この排泄物受容器６の場合、サイズの異なる各通常の足部浴槽に対応する各種サイズのものを用意することが好ましい。
【００３０】
なお、本発明は、例示した実施の形態に限定するものではなく、特許請求の範囲の各項に記載した内容から逸脱しない範囲の構成による実施が可能である。
【図面の簡単な説明】
【００３１】
【図１】本発明に係る足部浴槽の第１実施例を示す平面図。
【図２】図１の（２）−（２）線断面図。
【図３】図１の（３）−（３）線断面図。
【図４】本発明に係る足部浴槽の第２実施例を示す断面図。
【符号の説明】
【００３２】
Ａ：足部浴槽（家畜用足部浴槽）
Ｂ：足部浴槽（家畜用足部浴槽）
２：第１槽部
３：第２槽部
４：通過空間
４０：隙間
５：障害物
５Ａ：障害物
５０：棒状体
６：排泄物受容器
【図１】
2010081850.tif 000003
【図２】
2010081850.tif 000004
【図３】
2010081850.tif 000005
【図４】
2010081850.tif 000006